(57)【特許請求の範囲】
【請求項１】
後端に根元部を形成する軸部と、先端に塗布体を有する塗布部と、これら間に配置される可動部とから構成され、
該可動部において、軸部と塗布部とを、該軸部と塗布部との間で一体成形され、変形自在となる脚部によって連結するとともに、該軸部と塗布部のうち、いずれか一方の端部に係止部を一体成形し、他方の端部に被係止部を一体成形するとともに該係止部と被係止部との間で間隙を形成するものであって、該係止部が移動することで、脚部が伸長して発生する引張力によって、係止部と被係止部とが当接しつつ摺動し、且つ係止部と被係止部とが係止自在となることで軸部に対して塗布部を傾倒自在としてなる傾倒機構を形成する
ことを特徴とする化粧料塗布体。
【請求項２】
上記傾倒機構が、軸部と塗布部のうち、いずれか一方の端部に先端を凸湾曲面とする係止部を一体成形し、他方の端部に該係止部の先端の形状に合致する複数の凹湾曲部を配設する被係止部を一体成形するとともに該係止部と被係止部との間で間隙を形成するものであって、該係止部が移動することで、脚部が伸長して発生する引張力によって、係止部と被係止部とが当接しつつ摺動し、且つ係止部の凸湾曲面と被係止部の凹湾曲部とが係止自在となる
ことを特徴とする請求項１記載の化粧料塗布体。
【請求項３】
上記傾倒機構が、軸部と塗布部のうち、いずれか一方の端部に平面である係止部を一体成形し、他方の端部に断面略Ｕ字形状の被係止部を一体成形するとともに該係止部と被係止部との間で間隙を形成するものであって、該係止部が移動することで、脚部が伸長して発生する引張力によって、係止部と被係止部とが当接しつつ摺動し、且つ平面である係止部と断面略Ｕ字形状の被係止部とが係止自在となる
ことを特徴とする請求項１記載の化粧料塗布体。
【請求項４】
上記傾倒機構が、軸部と塗布部のうち、いずれか一方の端部に、後述の切り欠き部幅よりも大となる幅を有して突出する係止部を一体成形し、他方の端部に脚部内側に当接するとともにその中間に切り欠き部を形成してなる被係止部を一体成形するとともに該係止部と被係止部との間で間隙を形成するものであって、該係止部が移動することで、脚部が伸長して発生する引張力によって、係止部と被係止部の切り欠き部内で係止部とが当接しつつ摺動し、且つ係止部と被係止部の切り欠き部とが係止自在となる
ことを特徴とする請求項１記載の化粧料塗布体。
【発明の詳細な説明】
【技術分野】
【０００１】
本願発明は、軸部の先端の塗布部が傾倒自在となる化粧料塗布体に関する。
【背景技術】
【０００２】
例えば、マスカラ等の液体化粧料やアイシャドウ等の粉状化粧料を塗布するために使用する化粧料塗布体には、蓋本体と一体となる軸部の先端において、該軸部の軸線方向に沿って塗布部が形成されているものがある。すなわち、上記化粧料塗布体では、軸部と塗布部とは、その軸線方向が一致しているものである（特許文献１参照）。
【０００３】
そのため、化粧料容器を構成する容器本体内へ該塗布部を収容し、又容器本体内から該塗布部を取り出すにあたっては、該塗布部を容器本体に対して直線的に挿脱するだけで円滑、且つ容易に行うことができるものである。
【０００４】
しかしながら、上記化粧料塗布体においては、軸部と塗布部との軸線方向が一致しているため、例えば、放射状に生えている睫毛に対してマスカラを塗布する場合には、睫毛の生えている方向に合わせて持ち手を少しずつ動かすことで、塗布部の角度を少しずつ変えながら何回も塗布しなけらばならず、使用者にとって非常に煩雑な作業となるものである。
そして、塗布部の角度を誤ると軸部が瞼や頬に接触してしまい、肌を汚損するものである。
さらに、上記マスカラの塗布作業は利き手側では正確に行い易いものであるが、利き手ではない側による場合は化粧料塗布体の軸部と鼻が干渉して邪魔になってしまい、正確にマスカラの塗布を行えないものである。
その上、睫毛をカールさせるにあたっては塗布部で睫毛を持ち上げるようにするが、上記化粧料塗布体の塗布部が軸部の先端で保持されていると、持ち手の微妙な震えが塗布部では大きく伝達され、睫毛を確実に持ち上げることができなくなるものである。
【０００５】
また、睫毛においてより広範囲に渡ってマスカラを一度に塗布することができるように塗布部を軸部の軸線方向に対して湾曲させると、該塗布部が睫毛に沿って合致して確実にマスカラの塗布を行える反面、容器本体への収納が難しくなるものである。
【０００６】
そこで、容器本体に対する挿脱に際して、軸部と塗布部との軸線方向が一致するものであるが、マスカラを塗布するに際して、必要に応じて軸部に対して塗布部を傾倒自在とし、且つその状態を維持できるようにするものが提案されている（特許文献２、３参照）。
【０００７】
しかしながら、上記軸部に対して塗布部を傾倒自在とし、且つその状態を維持できるようにする構造は、複雑であって、部品点数も多くなるものである。その結果、部品コストの上昇とともに、製造工程での作業効率が低下してしまうので、化粧料塗布体の製品コストが著しく上昇してしまうものである。
【先行技術文献】
【特許文献】
【０００８】
【特許文献１】特開２００１−８７２９号公報
【特許文献２】実開昭６０−７０２１５号公報
【特許文献３】実開昭６０−１１３７１１号公報
【発明の概要】
【発明が解決しようとする課題】
【０００９】
発明が解決しようとする課題は、簡易な構造によって、軸部に対して塗布部を傾倒自在とし、且つその状態を維持させることができない点である。
【課題を解決するための手段】
【００１０】
第１の特徴として、
後端に根元部を形成する軸部と、先端に塗布体を有する塗布部と、これら間に配置される可動部とから構成され、
該可動部において、軸部と塗布部とを、該軸部と塗布部との間で一体成形され、変形自在となる脚部によって連結するとともに、該軸部と塗布部のうち、いずれか一方の端部に係止部を一体成形し、他方の端部に被係止部を一体成形するとともに該係止部と被係止部との間で間隙を形成するものであって、該係止部が移動することで、脚部が伸長して発生する引張力によって、係止部と被係止部とが当接しつつ摺動し、且つ係止部と被係止部とが係止自在となることで軸部に対して塗布部を傾倒自在としてなる傾倒機構を形成するものである。
【００１１】
そのため、軸部に対して直線状となっている塗布部を押勢すると、該軸部と塗布部との間に配置される可動部では、被係止部との間で間隙を形成している係止部が移動するとともに被係止部と当接しつつ摺動し、且つ係止部と被係止部とが係止する。そして、軸部と塗布部とを連結するように一体成形された脚部は伸長しながら折曲して軸部と塗布部の間で引張力を発生するものである。その結果、塗布部は傾倒するとともに、その傾倒状態を脚部の引張力で維持することができるものである。従って、軸部に対して傾倒させ、その状態を維持してなる塗布部によって、簡易且つ正確に化粧料を塗布することができるものとなる。
【００１２】
さらに、化粧料塗布体を構成する軸部、塗布部並びに脚部及び傾倒機構からなる可動部は一体成形されるので、部品点数は減少し、傾倒機構は簡単な構造となるものである。その結果、製造作業における作業効率は向上し、製品コストの低減を図ることができるものである。
【００１３】
第１の特徴を踏まえて、第２の特徴として、
上記傾倒機構が、軸部と塗布部のうち、いずれか一方の端部に先端を凸湾曲面とする係止部を一体成形し、他方の端部に該係止部の先端の形状に合致する複数の凹湾曲部を配設する被係止部を一体成形するとともに該係止部と被係止部との間で間隙を形成するものであって、該係止部が移動することで、脚部が伸長して発生する引張力によって、係止部と被係止部とが当接しつつ摺動し、且つ係止部の凸湾曲面と被係止部の凹湾曲部とが係止自在となるものである。
【００１４】
そのため、軸部に対して直線状となっている塗布部を押勢すると、該軸部と塗布部との間に配置される可動部では、被係止部との間で間隙を形成している係止部が移動するとともに被係止部と当接しつつ摺動し、且つ係止部の先端の凸湾曲面と被係止部の凹湾曲部とが合致して係止する。そして、軸部と塗布部とを連結するように一体成形された脚部は伸長しながら折曲して軸部と塗布部の間で引張力を発生するものである。その結果、塗布部は傾倒するとともに、その傾倒状態を脚部の引張力と合わせてより強固に維持することができるものである。従って、軸部に対して傾倒させ、その状態を維持してなる塗布部によって、簡易且つ正確に化粧料を塗布することができるものとなる。
【００１５】
さらに、上記第１の特徴と同様に、化粧料塗布体を構成する軸部、塗布部並びに脚部及び傾倒機構からなる可動部は一体成形されるので、部品点数は減少し、傾倒機構は簡単な構造となるものである。その結果、製造作業における作業効率は向上し、製品コストの低減を図ることができるものである。
【００１６】
第１の特徴を踏まえて、第３の特徴として、
上記傾倒機構が、軸部と塗布部のうち、いずれか一方の端部に平面である係止部を一体成形し、他方の端部に断面略Ｕ字形状の被係止部を一体成形するとともに該係止部と被係止部との間で間隙を形成するものであって、該係止部が移動することで、脚部が伸長して発生する引張力によって、係止部と被係止部とが当接しつつ摺動し、且つ平面である係止部と断面略Ｕ字形状の被係止部とが係止自在となるものである。
【００１７】
そのため、軸部に対して直線状となっている塗布部を押勢すると、該軸部と塗布部との間に配置される可動部では、被係止部との間で間隙を形成している係止部が移動するとともに、当接しつつ摺動し、且つ係止部の平面と断面略Ｕ字形状の被係止部表面とが任意の位置で係止する。そして、軸部と塗布部とを連結するように一体成形された脚部は伸長しながら折曲して軸部と塗布部の間で引張力を発生するものである。その結果、塗布部は傾倒するとともに、その傾倒状態を脚部の引張力を合わせて維持することができるものである。従って、軸部に対して任意の位置に傾倒させ、その状態を維持してなる塗布部によって、簡易且つ正確に化粧料を塗布することができるものとなる。
【００１８】
さらに、上記第１及び第２の特徴と同様に、化粧料塗布体を構成する軸部、塗布部並びに脚部及び傾倒機構からなる可動部は一体成形されるので、部品点数は減少し、傾倒機構は簡単な構造となるものである。その結果、製造作業における作業効率は向上し、製品コストの低減を図ることができるものである。
【００１９】
第１の特徴を踏まえて、第４の特徴として、
上記傾倒機構が、軸部と塗布部のうち、いずれか一方の端部に、後述の切り欠き部幅よりも大となる幅を有して突出する係止部を一体成形し、他方の端部に脚部内側に当接するとともにその中間に切り欠き部を形成してなる被係止部を一体成形するとともに該係止部と被係止部との間で間隙を形成するものであって、該係止部が移動することで、脚部が伸長して発生する引張力によって、係止部と被係止部の切り欠き部内で係止部とが当接しつつ摺動し、且つ係止部と被係止部の切り欠き部とが係止自在となるものである。
【００２０】
そのため、軸部に対して直線状となっている塗布部を押勢すると、該軸部と塗布部との間に配置される可動部では、被係止部との間で間隙を形成している係止部が移動するとともに、被係止部の切り欠き部内で当接しつつ摺動し、且つ係止部と被係止部の切り欠き部とが任意の位置で係止する。そして、軸部と塗布部とを連結するように一体成形された脚部は該被係止部を支点として伸長しながら折曲して軸部と塗布部の間で引張力を発生するものとなる。その結果、塗布部は傾倒するとともに、その傾倒状態を脚部の引張力に合わせて維持することができるものである。従って、軸部に対して任意の位置に傾倒させ、その状態を維持してなる塗布部によって、簡易且つ正確に化粧料を塗布することができるものとなる。
【００２１】
さらに、上記第１乃至第３の特徴と同様に、化粧料塗布体を構成する軸部、塗布部並びに脚部及び傾倒機構からなる可動部は一体成形されるので、部品点数は減少し、傾倒機構は簡単な構造となるものである。その結果、製造作業における作業効率は向上し、製品コストの低減を図ることができるものである。
【発明の効果】
【００２２】
本願発明では、化粧料塗布体において、簡単な構造の傾倒機構により、塗布体を有する塗布部を軸部に対して傾倒させ、且つその状態を維持させることができるので、製造作業における作業効率は向上し、製品コストの低減を図ることができる優れた効果を有するものである。
【図面の簡単な説明】
【００２３】
【図１】図１は、本願発明の実施例１である化粧料塗布体を具える化粧料塗布容器の拡大断面図である。
【図２】図２（イ）は本願発明の実施例１である化粧料塗布体をなす軸部の正面図及び要部横断面図、（ロ）は本願発明の実施例１である化粧料塗布体をなす軸部の側面図である。
【図３】図３は本願発明の実施例１であるキャップ内に固持される化粧料塗布体の塗布部の動作を示す図である。
【図４】図４は本願発明の実施例２であるキャップ内に固持される化粧料塗布体の塗布部の動作を示す図である。
【図５】図５は本願発明の実施例３であるキャップ内に固持される化粧料塗布体の塗布部の動作を示す図である。
【発明を実施するための形態】
【００２４】
簡易な構造により、化粧料塗布体の塗布部を軸部に対して傾倒し、且つその状態を維持することを、軸部と塗布部との間に配置される可動部において、該軸部と塗布部との間を変形自在となる脚部によって一体に連結するとともに、該軸部と塗布部のうち、いずれか一方の端部に係止部を一体成形し、他方の端部に被係止部を一体成形するとともに該係止部と被係止部との間で間隙を形成するものであって、該被係止部との間で間隙を形成する係止部が移動するとともに当接しつつ摺動し、且つ係止部と被係止部とが係止自在となることで軸部に対して塗布部を傾倒自在としてなる傾倒機構を形成することで実現した。
【実施例１】
【００２５】
図１において示すのは、本願発明の実施例１である化粧料塗布体１０を具える化粧料容器１である。そして、該化粧料容器１は、その内部でマスカラ３を貯留するとともに、その開口部４内では、後述する本願発明の実施例１である化粧料塗布体１０を構成する軸部１１及び塗布部１２の表面に過剰に付着したマスカラ３を拭去するシゴキ５を内装するとともに、その外周面に雄ネジ部６を螺設してなる容器本体２と、その開口部８の内周面で、前記容器本体２の開口部４の外周面に螺設する雄ネジ部６と螺合する雌ネジ部９を配設するものであって、本願発明の実施例１である化粧料塗布体１０を固持してなるキャップ７とから構成されるものである。
【００２６】
そして、本願発明の実施例１である化粧料塗布体１０は、後端部にキャップ７内に固持させる根元部１１ａを形成する軸部１１と、芯線に挟持された繊維を螺旋状に巻回することにより形成される円柱状の刷毛体からなる塗布体１３及び該塗布体１３において巻回された芯線を固持する塗布基部１４とからなる塗布部１２と、該軸部１１及び塗布部１２の間に配置される可動部１５とから構成されるものである。
【００２７】
さらに、前記可動部１５では、軸部１１と塗布部１２をなす塗布基部１４とを変形自在となるように一体成形された二本の脚部１６、１６によって連結されている。そして、塗布部１２の塗布基部１４の後端の脚部１６、１６間には先端を凸湾曲面１７ａとする係止部１７を一体成形し、また軸部１１の先端の脚部１６、１６間には該係止部１７の凸湾曲面１７ａの形状に合致する軸部１１の軸線方向に位置する平坦部１８ｂを中心とした両側の複数の凹湾曲部１８ａ、１８ａを配設する被係止部１８を一体成形するとともに、該係止部１７と被係止部１８との間で間隙１９を形成するものであって、該係止部１７は移動して被係止部１８と当接しつつ摺動し、且つ係止部１７と被係止部１８とが該被係止部１８の凸湾曲面１７ａが軸部１１の軸線方向に位置する平坦部１８ｂを中心とした両側の複数の凹湾曲部１８ａ、１８ａのうちの一つと合致して係止自在となる傾倒機構Ａを形成するものである。
【００２８】
本願発明の実施例１である化粧料塗布体１０は以上のような構成を具えるので、軸部１１、可動部１５とともに化粧料塗布体１０を構成する塗布部１２を軸部１１に対して傾倒し、その状態を維持してマスカラ３を塗布するにあたっては次のようにするものである。
まず、容器本体２と一体に螺合しているキャップ７の螺合を解くとともに引き上げると、化粧料塗布体１０の塗布部１２は、該軸部１１の軸線方向と一致して収容されているので、容器本体２内から化粧料塗布体１０を円滑、且つ容易に取り出すことができる。
そして、容器本体２内より取り出した化粧料塗布体１０において、該化粧料塗布体１０の塗布部１２を軸部１１に対して傾倒させるには、容器本体２の開口部４内周縁に塗布部１２を当接させて押勢するものである。すなわち、塗布部１２を容器本体２の開口部４内周縁に当接させて押勢することで、当初該軸部１１の軸線方向に位置する平坦部１８ｂとの間で間隙１９を持って位置している塗布部１２の係止部１７は、隣接するいずれかの凹湾曲部１８ａ方向へ移動し当接しつつ摺動して、塗布部１３の係止部１７の凸湾曲面１７ａは軸部１１の被係止部１８の凹湾曲部１８ａと合致して、係止する。このとき、軸部１１と塗布部１２とを一体に連結する脚部１６、１６は軸部１１の移動及び摺動に伴って弾性に抗して伸長しつつ折曲し、軸部１１と塗布部１２の間で引張力を発生するものである。
その結果、軸部１１と塗布部１２とは脚部１６、１６の引張力と合わせてより強固に係止され、塗布部１２は該軸部１１に対して傾倒した状態を維持することができるものである。
従って、軸部１１に対して傾倒し、且つその状態で維持されている塗布部１２の塗布体１３によってマスカラ３を簡易且つ正確に塗布することができるものとなる。
【００２９】
また、化粧料塗布体１０を容器本体２内に収容するにあたっては次のようにするものである。
まず、軸部１１に対して傾倒し、その状態で維持されている塗布部１２を容器本体２の開口部４内周縁に対して当接させて軸部１１の軸線方向に位置する平坦部１８ｂ方向へ押勢するものである。すなわち、軸部１１に対して傾倒している塗布部１２を容器本体２の開口部４内周縁に当接させて押勢すると、軸部１１先端に形成され、塗布部１２の傾倒状態に合わせて被係止部１８の凹湾曲部１８ａと合致し、係止している塗布部１２の塗布基部１４に形成される係止部１７が、該軸部１１の軸線方向に位置する被係止部１８の平坦部１８ｂ方向へ当接しつつ摺動し、被係止部１８の平坦部１８ｂに間隙１９を持って位置するものである。このとき、軸部１１と塗布部１２の塗布基部１４とを一体に連結し、伸長しつつ折曲している脚部１６、１６は収縮しながら弾性により直線状になるものである。
その結果、塗布部１２は軸部１１の軸線方向と一致して直線状態を維持するものとなるので、化粧料塗布体１０を容器本体２内に容易に収容することができるものである。
【実施例２】
【００３０】
本願発明の実施例２である化粧料塗布体１０’は、実施例１の化粧料塗布体１０と同様に、キャップ７’内に一体に固持される根元部を形成する軸部１１’と、芯線に挟持された繊維を螺旋状に巻回することにより形成される円柱状の刷毛体からなる塗布体１３’及び該塗布体１３’において巻回された芯線を固持する塗布基部１４’とからなる塗布部１２’と、両者を一体に連結する可動部１５’とから構成される点で、軸部１１と、塗布部１２と、両者を一体に連結する可動部１５とから構成される実施例１である化粧料塗布体１０と共通するものである。
【００３１】
しかしながら、本願発明の実施例２である化粧料塗布体１０’の可動部１５’は、軸部１１’と塗布部１２’の塗布基部１４’とを変形自在となるように一体成形された二本の脚部１６’、１６’によって連結するとともに、塗布部１２’をなす塗布基部１４’の後端の脚部１６’、１６’間には平面１７ａ’である係止部１７’を一体成形し、また軸部１１’の先端の脚部１６’、１６’間には両側面を平面１８ｂ’、１８ｂ’とするとともに先端を凸湾曲面１８ａ’とする断面略Ｕ字形状の被係止部１８’を一体成形するとともに、該係止部１７’と被係止部１８’との間で間隙１９’を形成するものであって、該塗布部１２’の塗布基部１４’に形成される係止部１７’は移動して軸部１１’に形成される被係止部１８’と当接しつつ摺動し、且つ係止部１７’の平面１７ａ’と断面略Ｕ字形状の被係止部１８’の側面である平面１８ｂ’とが係止自在となる傾倒機構Ａ’を形成する点で、軸部１１と塗布部１２をなす塗布基部１４とを変形自在となるように一体成形された二本の脚部１６、１６によって連結するとともに、塗布部１２をなす塗布基部１４の後端の脚部１６、１６間には先端を凸湾曲面１７ａとする係止部１７を一体成形し、軸部１１の先端の脚部１６、１６間には該係止部１７の先端の形状に合致する複数の凹湾曲部１８ａ、１８ａを軸部１１の軸線方向に位置する平坦部１８ｂを中心とした両側に配設する被係止部１８を一体成形するとともに該係止部１７と被係止部１８との間で間隙１９を形成するものであって、該係止部１７は移動して被係止部１８と当接しつつ摺動し、且つ係止部１７の凸湾曲面１７ａと被係止部１８の複数の凹湾曲部１８ａ、１８ａとが係止自在となる傾倒機構Ａを形成する実施例１である化粧料塗布体１０の可動部１５とは相違するものである。
【００３２】
本願発明の実施例２である化粧料塗布体１０’は以上のような構成を具えるので、軸部１１’、可動部１５’とともに化粧料塗布体を構成する塗布部１２’を軸部１１’に対して傾倒し、その状態を維持してマスカラを塗布するにあたっては次のようにするものである。
まず、容器本体と一体に螺合しているキャップ７’の螺合を解くとともに引き上げると、化粧料塗布体１０’の塗布部１２’は、該軸部１１’の軸線方向と一致して収容されているので、容器本体内から化粧料塗布体１０’を円滑、且つ容易に取り出すことができる。
そして、容器本体内より取り出した化粧料塗布体１０’において、該化粧料塗布体１０’の塗布部１２’を軸部１１’に対して傾倒させるには、容器本体の開口部内周縁に塗布部１２’を当接させて押勢するものである。すなわち、塗布部１２’を容器本体の開口部内周縁に当接させて押勢することで、軸部１１’先端の断面Ｕ字形状の被係止部１８’先端の凸湾曲面１８ａ’に間隙１９’を持って位置している塗布部１２’の平面である係止部１７’は、該被係止部１８’の表面に沿って側面の平面１８ｂ’方向へ移動し、当接しつつ摺動して最終的に被係止部１８’の側面である平面１８ｂ’に至るまで任意の位置に係止する。このとき、軸部１１’と塗布部１２’の塗布基部１４’とを一体に連結する脚部１６’、１６’は軸部１１’の移動及び摺動に伴って弾性に抗して伸長しつつ折曲し、軸部１１’と塗布部１２’との間で引張力を発生するものである。
その結果、軸部１１’と塗布部１２’とは、軸部１１’の被係止部１８’の表面に沿って任意の位置で係止され、最終的に側面である平面１８ｂ’にまで至ると面接触で強固に係止され、塗布部１２’は該軸部１１’に対して直角に傾倒した状態を維持することができるものとなる。
従って、軸部１１’に対して傾倒し、且つその状態で維持されている塗布部１２’の塗布体１３’によってマスカラを簡易且つ正確に塗布することができるものである。
【００３３】
また、化粧料塗布体１０’を容器本体内に収容するにあたっては次のようにするものである。
まず、軸部１１’に対して傾倒し、その状態で維持されている塗布部１２’を容器本体の開口部内周縁に対して当接させて被係止部１８’の先端の凸湾曲面１８ａ’方向へ押勢するものである。すなわち、軸部１１’に対して傾倒している塗布部１２’を容器本体の開口部内周縁に当接させて押勢すると、例えば軸部１１’先端に一体成形されている被係止部１８’の側面である平面１８ｂ’と面接触している塗布部１２’の平面１７ａ’の係止部１７’は、該軸部１１’の被係止部１８’先端の凸湾曲面１８ａ’方向へ当接しつつ摺動し、被係止部１８’の先端である凸湾曲面１８ａ’に間隙１９’を持って位置するものとなる。このとき、軸部１１’と塗布部１２’の塗布基部１４’とを一体に連結し、伸長しつつ折曲している脚部１６’、１６’は収縮しながら弾性により直線状になるものである。
その結果、塗布部１２’は軸部１１’の軸線方向と一致して直線状態を維持するものとなるので、化粧料塗布体１０’を容器本体内に容易に収容することができるものである。
【実施例３】
【００３４】
本願発明の実施例３である化粧料塗布体１０”は、実施例１の化粧料塗布体１０と同様に、キャップ７”内に一体に固持され、後端部にキャップ７”内に固持させる根元部を形成する軸部１１”と、塗布部１２”と、該軸部１１”及び塗布部１２”と一体成形される可動部１５”とから構成される点で共通するものである。
【００３５】
しかしながら、本願発明の実施例３である化粧料塗布体１０”の可動部１５”は、軸部１１”と塗布基部１４”とを変形自在となるように一体成形された断面略コ字形状の脚部１６”によって連結されるとともに、軸部１１”の先端には中央に切り欠き部１８ａ”を有し、該脚部１６”に当接してなる被係止部１８”を一体成形し、また塗布部１２”の後端には前記被係止部１８”の中央に有する切り欠き部１８ａ”幅よりも大の幅を有するように突出してなる係止部１７”を一体成形するとともに、該係止部１７”と被係止部１８”との間で間隙１９”を形成するものであって、係止部１７”は被係止部１８”方向へ移動して軸部１１”の被係止部１８”の切り欠き部１８ａ”内において当接しつつ摺動し、且つ係止部１７”と被係止部１８”の切り欠き部１８ａ”とが係止自在となる傾倒機構Ａ”を形成する点で、軸部１１と塗布部１２をなす塗布基部１４とを変形自在となるように一体成形された二本の脚部１６、１６によって連結するとともに、塗布部１２をなす塗布基部１４の後端の脚部１６、１６間には先端を凸湾曲面１７ａとする係止部１７を一体成形し、軸部１１の先端の脚部１６、１６間には該係止部１７の凸湾曲面１７ａの形状に合致する複数の凹湾曲部１８ａ、１８ａを軸部１１の軸線方向に位置する平坦部１８ｂを中心とした両側に配設する被係止部１８を一体成形するとともに、該係止部１７と被係止部１８との間で間隙１９を形成するものであって、該係止部１７は移動し被係止部１８と当接しつつ摺動し、且つ係止部１７の凸湾曲面１７ａと被係止部１８の複数の凹湾曲部１８ａ、１８ａとが係止自在となる傾倒機構Ａを形成する実施例１である化粧料塗布体１０の可動部１５とは相違するものである。
【００３６】
本願発明の実施例３である化粧料塗布体１０”は以上のような構成を具えるので、軸部１１”、可動部１５”とともに化粧料塗布体１０”を構成する塗布部１２”を軸部１１”に対して傾倒させてマスカラを塗布するにあたっては次のようにするものである。
まず、容器本体と一体に螺合しているキャップの螺合を解くとともに引き上げると、化粧料塗布体１０”の塗布部１２”は、該軸部１１”の軸線方向と一致して収容されているので、容器本体内から化粧料塗布体１０”は円滑、且つ容易に取り出すことができる。
そして、容器本体内より取り出した化粧料塗布体１０”において、該化粧料塗布体１０”の塗布部１２”を軸部１１”に対して傾倒させるには、容器本体の開口部内周縁に塗布部１２”を当接させて押勢するものである。すなわち、塗布部１２”を容器本体の開口部内周縁に当接させて押勢することで、塗布部１２”の後端に一体成形する係止部１７”が、間隙１９”を持って位置している軸部１１”先端に一体成形される被係止部１８”方向へ移動するとともに、被係止部１８”の中央に有する切り欠き部１８ａ”内で当接しつつ徐々に摺動して、任意の位置で係止する。このとき、軸部１１”と塗布部１２”とを一体に連結する脚部１６”は被係止部１８”後背により弾性に抗して伸長しつつ湾曲するものである。
その結果、軸部１１”と塗布部１２”とは任意の位置で係止され、塗布部１２”は該軸部１１”に対して傾倒した状態を維持することができるものとなる。
従って、軸部１１”に対して傾倒し、且つその状態で維持されている塗布部１２”の塗布体１３”によってマスカラを簡易且つ正確に塗布することができるものである。
【００３７】
また、化粧料塗布体１０”を容器本体内に収容するにあたっては次のようにするものである。
まず、軸部１１”に対して傾倒し、その状態で維持されている塗布部１２”を容器本体の開口部内周縁に対して当接させて元の位置方向へ押勢するものである。すなわち、軸部１１”に対して傾倒している塗布部１２”を容器本体の開口部内周縁に当接させて押勢すると、軸部１１”先端に形成されている被係止部１８”の中央に有する切り欠き部１８ａ”内において係止されている塗布部１２”の係止部１７”が徐々に切り欠き部１８ａ”外へ離脱するように摺動し、該切り欠き部１８ａ”外で被係止部１８”との間で一定の間隙１９”を持って位置するものとなる。このとき塗布部１２”が傾倒することで伸長しつつ湾曲していた脚部１６”は、軸部１１”の軸線方向と一致するように収縮しつつ弾性により直線状になるものである。
その結果、塗布部１２”は軸部１１”の軸線方向と一致して直線状態を維持するものとなるので、化粧料塗布体１０”を容器本体内に容易に収容することができるものである。
【産業上の利用可能性】
【００３８】
本願発明は、簡単な構造により塗布部を軸部に対して傾動させることができるので、化粧品のみならず様々なものを塗布する塗布体に適用することができる。
【符号の説明】
【００３９】
１    化粧料容器
２    容器本体
３    マスカラ
４    開口部
５    シゴキ
６    雄ネジ部
７、７’、７”    キャップ
８    開口部
９    雌ネジ部
１０、１０’    化粧料塗布体
１１、１１’    軸部
１１ａ    根元部
１２、１２’、１２”    塗布部
１３、１３’、１３”    塗布体
１４、１４’、１４”    塗布基部
１５、１５’、１５”    可動部
１６、１６’、１６”    脚部
１７、１７’、１７”    係止部
１７ａ    凸湾曲面
１７ａ’    平面
１８、１８’、１８”    被係止部
１８ａ    凹湾曲部
１８ｂ    平坦部
１８ａ’    凸湾曲面
１８ｂ’    平面
１８ａ”    切り欠き部
１９、１９’、１９”    間隙
Ａ、Ａ’、Ａ”    傾倒機構
【図１】
0005904396.tif 000002
【図２】
0005904396.tif 000003
【図３】
0005904396.tif 000004
【図４】
0005904396.tif 000005
【図５】
0005904396.tif 000006